(57)【要約】      （修正有）【課題】通常のカーテン使用時においては何等問題を生じることはないが、誤ってカーテンの一部に首を引っ掛けたときは、不慮の事故を未然に防ぐことができるカーテン吊下具を提供する。【解決手段】本カーテン吊下具１は、カーテンをレールに吊り下げる連結具２を備え、該連結具がレールに対する掛止部を有するか、またはそれ自体で掛止部を形成し、カーテンに必要以上の荷重が生じた際、該掛止部が変形してカーテンがレールから落下する。【選択図】図１
0003161739.tif 000002
【実用新案登録請求の範囲】
【請求項１】
カーテンをレールに吊り下げる連結具を備え、該連結具がレールに対する掛止部を有するか、またはそれ自体で掛止部を形成し、カーテンに必要以上の荷重が生じた際、該掛止部が変形してカーテンがレールから落下することを特徴とするカーテン吊下具。
【請求項２】
前記掛止部が弾性変形する請求項１記載のカーテン吊下具。
【請求項３】
前記連結具がアジャスターに装着される請求項１または２記載のカーテン吊下具。
【請求項４】
前記アジャスターに、カーテンに必要以上の荷重が生じた際、カーテンを落下させるラチェット部が形成されている請求項３記載のカーテン吊下具。
【請求項５】
前記連結具が、カーテン保持具を備えたフック体である請求項１または２記載のカーテン吊下具。
【請求項６】
前記連結具が、ランナーに装着されるリング体である請求項１または２記載のカーテン吊下具。
【請求項７】
前記連結具が、帯状体の芯地に複数装着されている請求項１または２記載のカーテン吊下具。
【考案の詳細な説明】
【技術分野】
【０００１】
本考案は、カーテンに必要以上の荷重が生じた際、カーテンをレールから落下させることができるカーテン吊下具に関する。
【背景技術】
【０００２】
一般的なカーテンは、窓の室内側のカーテンレールに吊り下げられ、レール内のランナーにより開閉自在に装着されている。また、通常、カーテンは荷重がかかっても容易には落下しないように、ランナーに連結されたリングに、金属やプラスチック等からなるフックを介して強固に取り付けられている。
【０００３】
このように、従来のカーテンはカーテンレールに対し、ある程度の強度を有する状態に吊り下げられている。しかしながら、昨今、カーテンがレールに対し強固に取り付けられているが故に問題となることがある。例えば、その問題の一つとしてカーテンでの首の大動脈圧迫による死亡事故が挙げられる。通常、首を吊ったとしても窒息死することはあまりなく、頚部が斜めに自身の体重により圧迫され、大動脈（頸動脈、脊椎動脈）の流れが妨げられて脳に血液が回らなくなり、脳が酸欠（急性貧血）を起こして失神し、死亡することがほとんどである。即ち、全体重がかかっていなくともカーテンによって大動脈が圧迫されれば死に至るのである。
【０００４】
このような不慮の事故は子供から高齢者までの幅広い世代で発生している。またこれらの事故においては、一般家庭はもちろん、特殊医療施設（精神薄弱者施設）や青少年保護施設、また少年鑑別所（少年院）等でも発生している。
【０００５】
一方、特許文献１では、カーテンレール用のランナーにおいてスライダー部とカーテン部を二分し、スライダー部とカーテン部を磁石で結合し、容易に着脱可能としたカーテンレール用磁石式ランナーが報告されており、このカーテンレール用磁石式ランナーによれば、力の弱い老人や女性や子供でも容易に嵌脱でき、例えば、手近なカーテンを緊急災害発生時の非難用具として活用することができることが記載されている。
【先行技術文献】
【特許文献】
【０００６】
【特許文献１】特開２００８−８６５４４号公報（特許請求の範囲等）
【考案の概要】
【考案が解決しようとする課題】
【０００７】
しかしながら、上掲特許文献１に記載されたカーテンレール用磁石式ランナーにおいては、力の弱い老人や女性や子供でも容易に嵌脱できることから、経時的に少しでも磁力が弱くなると吊り下げ力が低下し、カーテンが自然に落下してしまうという問題があった。また、磁力により時計や家電製品に悪影響を及ぼす虞もあった。
【０００８】
そこで本考案の目的は、通常のカーテン使用時においては何等問題を生じることはないが、誤ってカーテンの一部に首を引っ掛けたときは、不慮の事故を未然に防ぐことができるカーテン吊下具を提供することにある。
【課題を解決するための手段】
【０００９】
上記課題を解決するために、本考案のカーテン吊下具は、カーテンをレールに吊り下げる連結具を備え、該連結具がレールに対する掛止部を有するか、またはそれ自体で掛止部を形成し、カーテンに必要以上の荷重が生じた際、該掛止部が変形してカーテンがレールから落下することを特徴とするものである。
以下に、本考案の好適実施形態を挙げる。
【００１０】
前記掛止部が、弾性変形する材料により形成されている。
【００１１】
また、前記連結具が、アジャスターに装着されるフック体である。
【００１２】
さらに、前記アジャスターに、下方向に荷重が生じた際、カーテンを落下させるラチェット部が形成されている。
【００１３】
さらにまた、前記連結具が、カーテン保持具を備えたフック体である。
【００１４】
さらにまた、前記連結具が、ランナーに装着されるリング体である。
【００１５】
さらにまた、前記連結具が、帯状体の芯地に複数装着されている。
【考案の効果】
【００１６】
本考案のカーテン吊下具によれば、通常のカーテン使用時においては何等問題を生じることはないが、カーテンに必要以上の荷重が生じた際、形状が変形してカーテンをレールから落下させる掛止部を備えたことにより、誤ってカーテンの一部に首を引っ掛けても、頚動脈圧迫による不慮の事故を未然に防ぐことができる。また、本考案のカーテン吊下具の掛止部は変形し得る柔軟性を有するため、連結具をカーテンに付けたまま、カーテンを洗濯機で洗うこともできる。
【図面の簡単な説明】
【００１７】
【図１】本考案の第一実施形態のカーテン吊下具において、掛止部としてフック部を有するフック体からなる連結具をアジャスターに装着する様子を示す説明図である。
【図２】図１に示すカーテン吊下具におけるフック体に必要以上の荷重が生じた際の状態を示す説明図である。
【図３】本考案の第二実施形態のカーテン吊下具において、アジャスターのラチェット部を示す説明図である。
【図４】従来のアジャスターのラチェット部を示す正面図である。
【図５】本考案の第三実施形態のカーテン吊下具を示す部分斜視図である。
【図６】図５に示すカーテン吊下具におけるフック体に必要以上の荷重が生じた際の状態を示す説明図である。
【図７】本考案の第四実施形態のカーテン吊下具を示す部分斜視図である。
【図８】本考案の第五実施形態のカーテン吊下具を示す部分斜視図である。
【考案を実施するための形態】
【００１８】
以下、本考案のカーテン吊下具の実施の形態を図面に基づいて説明する。
【００１９】
本考案の第一実施形態におけるカーテン吊下具１の連結具２は、カーテンの吊り下げる高さを調整するアジャスター６０に装着されるフック体１０である。かかるフック体１０は、図１の（ｂ）に示すように、カーテンレールのリングに吊り下げられるヘアピン状に湾曲した掛止部としてのフック部１１と、アジャスター６０のラチェット６１に装着されるラチェット部１２とで構成されている。また、フック部１１は、カーテンに必要以上の荷重が生じた際に破損することなく弾性変形する素材にて形成されている。具体的には、スチール等の金属材料またはポリオレフィン樹脂、ポリエステル樹脂、ポリカーボネート樹脂、ポリアミド樹脂等の樹脂材料やエラストマー材料が挙げられる。
【００２０】
また、図示例のフック体１０は、図１の（ｂ）に示すように、フック体１０とアジャスター６０を装着、または取り外して分離させることができるため、洗濯する際、また、カーテンを再度装着する際の利便性に優れている。
【００２１】
図２の（ａ）、（ｂ）、（ｃ）は、アジャスター６０にフック体１０を装着したカーテン吊下具１によりカーテンを落下させる使用状態を示すものである。
（ａ）は、カーテンレール５０におけるランナー５１のリング５２にフック体１０を挿入し、アジャスター６０を介在させたカーテンＡをカーテンレール５０に吊り下げた状態を示す。
【００２２】
（ｂ）は、カーテンＡに必要以上の荷重を与えた状態を示すものである。カーテンＡに、例えば１０ｋｇ程度の荷重を与えると、弾性変形する素材で形成されたフック部１１はその荷重に応じて変形する。
【００２３】
カーテンＡにさらに荷重を与えると、フック部１１はさらに変形し、（ｃ）に示すように、フック部１１はリング５２から分離されてカーテンＡは落下する。したがって、例えば誤ってカーテンＡに首を引っ掛けた状態で荷重がかかったしまった場合でも、頚部の大動脈が圧迫される前にカーテンＡが落下するため、不慮の事故を未然に防ぐことができる。なお、フック体１０は弾性変形する素材で形成されているので、荷重から開放された際には瞬時にもとの形状に戻る。このため、再度、カーテンＡを吊るすことが可能になる。
【００２４】
本考案の第二実施形態におけるカーテン吊下具１の連結具２は、カーテンの高さを調節するアジャスター６０である。図３の（ａ）に示すアジャスター６０ａは、下方向に必要以上に荷重が生じた際、アジャスター６０ａおよびカーテンを落下させることができるように形成されている。
【００２５】
図４に示すように、従来のアジャスター６０ｂのラチェット部６１ｂは、上方が内側方向に傾斜された状態に形成されている。そのため、カーテンは、容易に落下しない状態でカーテンライナーのリングに吊り下げられている。
【００２６】
これに対し、本考案におけるアジャスター６０ａのラチェット部６１ａは、下方が内側方向に傾斜された状態に形成されている。このため、ラチェット部６１ａにフック体１０の掛止部としてのラチェット部１２を係合させると、図３の（ａ）（ｂ）に示すように、カーテンの下方向に荷重が生じた際、アジャスター６０ａはフック体１０から滑り落ち、ある一定の荷重でカーテンを落下させることができる。掛止部としてのラチェット部１２は、第一実施形態におけるカーテン吊下具１の連結具２の場合と同様に、カーテンに必要以上の荷重が生じた際に破損することなく弾性変形する素材にて形成されている。具体的には、スチール等の金属材料またはポリオレフィン樹脂、ポリエステル樹脂、ポリカーボネート樹脂、ポリアミド樹脂等の樹脂材料が挙げられる。
なお、図３の（ａ）はアジャスター６０ａの正面図、（ｂ）はアジャスター６０ａの側面図を示す
【００２７】
本考案の第三実施形態におけるカーテン吊下具１の連結具２は、図５に示すように、カーテン保持具２４を備えたフック体２０である。かかるフック体２０は、カーテンに必要以上の荷重が生じた際に破損することなく弾性変形する素材にて形成されている。具体的には、スチール等の金属材料またはポリオレフィン樹脂、ポリエステル樹脂、ポリカーボネート樹脂、ポリアミド樹脂等の樹脂材料やエラストマー材料が挙げられる。フック体２０は、掛止部としての長円形状のフック本体２１と、フック本体２１の略中央に形成された開口部２２と、フック本体２１に連設された軸部２３とからなる。また軸部２３の下部には、カーテンＡの上端を保持固定するカーテン保持具２４が設置されている。
【００２８】
カーテン保持具２４は板状部２５と、板状部２５に立設された鈎状部２６と、板状部２５に折曲自在に連結された把持部２７とからなる。板状部２５と把持部２７との間にカーテンＡの上端を配置させ、鈎状部２６にてカーテンＡを突き刺した状態で把持部２７の開孔に鈎状部２６を嵌入させることで、カーテン保持具２４にてカーテンＡの上端を保持固定することができる。
【００２９】
図６の（ａ）、（ｂ）、（ｃ）においては、前記フック体２０を使用したカーテン吊下具１によりカーテンＡを落下させる使用状態を示す。
【００３０】
（ａ）は、フック本体２１の開口部２２をカーテンレール５０のランナー５１のリング５２に挿入し、カーテンＡをカーテンレール５０に吊り下げた状態を示す。
【００３１】
（ｂ）は、カーテンＡに荷重を与えた状態を示すものである。カーテンＡに、例えば１０ｋｇ程度の荷重を与えると、弾性変形する素材で形成されたフック本体２１はその荷重に応じて変形する。
【００３２】
カーテンＡにさらに必要以上の荷重を与えると、フック本体２１はさらに変形し、（ｃ）に示すように、フック体２０はリング５２から分離しカーテンＡが落下する。なお、フック本体２１は弾性変形する素材で形成されているので、瞬時にもとの形状に戻り、再度カーテンを吊るすことが可能になる。
【００３３】
第四実施形態におけるカーテン吊下具１の連結具２は、図７の（ａ）に示すように、ランナー５１に装着されるリング体３０である。このリング体３０はカーテンに必要以上の荷重が生じた際に破損することなく弾性変形する素材にて形成されている。具体的には、スチール等の金属材料またはポリオレフィン樹脂、ポリエステル樹脂、ポリカーボネート樹脂、ポリアミド樹脂等の樹脂材料やエラストマー材料が挙げられる。掛止部としての機能を有するリング体３０には、カーテンレール５０のランナー５１に挿入される開口部３１が形成されている。掛止部としてのリング体３０自体を弾性変形する素材で形成することで、（ｂ）に示すように開口部３１が弾性的に開閉されるため、カーテンに必要以上の荷重が発生した場合、カーテンを容易にカーテンレールから落下させることができる。
【００３４】
第五実施例におけるカーテン吊下具の連結具は、カーテン本体上部に直接芯として縫いつけられている部材であり、帯状体の芯地４１に複数装着されている。図８に示すように、掛止部としての連結具４０はフック形状を呈しており、カーテンに必要以上の荷重が生じた際に破損することなく弾性変形する素材にて形成されている。具体的には、スチール等の金属材料またはポリオレフィン樹脂、ポリエステル樹脂、ポリカーボネート樹脂、ポリアミド樹脂等の樹脂材料やエラストマー材料が挙げられる。また、連結具４０は、帯状体の芯地４１に直接等間隔に複数装着されている。カーテンの上端に芯地４１として直接縫い付けられていることにより、ワンタッチで複数のカーテン吊下具をカーテンレールに装着させることが可能になる。
【符号の説明】
【００３５】
１  カーテン吊下具
２  連結具
１０  フック体
１１  フック部
１２  ラチェット部
２０  フック体
２１  フック本体
２２  開口部
２３  軸部
２４  カーテン保持具
２５  板状部
２６  鈎状部
２７  把持部
３０  リング体
３１  開口部
４０  連結具
４１  芯地
５０  カーテンレール
５１  ランナー
５２  リング
６０  アジャスター
６１  ラチェット部
Ａ  カーテン
【図１】
0003161739.tif 000003
【図２】
0003161739.tif 000004
【図３】
0003161739.tif 000005
【図４】
0003161739.tif 000006
【図５】
0003161739.tif 000007
【図６】
0003161739.tif 000008
【図７】
0003161739.tif 000009
【図８】
0003161739.tif 000010